(57)【要約】      （修正有）【課題】抜糸を安全にかつ容易に行うことが出来て、患者の負担が軽くなるリーマ用のエクストラクタを提供する。【解決手段】バールハンドル５０と、バールハンドル５０の先端部に設けられたリーマを掛止するための掛止部５２と、これ等の間に位置する連結軸５１とから成るバール５と、ベースハンドル４０と、ベースハンドル４０の先端部に設けられて歯に当接させるための当接部４２と、これ等の間に位置してバール５の連結軸５１を嵌めて一体化するための連結溝４１とから成るベース４と、から構成される。ベース４の連結溝４１は磁化されており、連結溝４１にバール５の鉄製の連結軸５１が磁着するようになっている。【選択図】図５
0003202679.tif 000002
【実用新案登録請求の範囲】
【請求項１】
バールハンドルと、該バールハンドルの先端部に設けられたリーマを掛止するための掛止部と、これ等の間に位置する連結軸とから成るバールと、ベースハンドルと、該ベースハンドルの先端部に設けられて歯に当接させるための当接部と、これ等の間に位置して前記バールの前記連結軸を嵌めるための連結溝とから成るベースと、から構成され、前記掛止部を前記連結溝に嵌めて前記バールと前記ベースとを連結一体化して前記バールハンドルと前記ベースハンドルとが開いた状態にした時に、前記ベースの前記当接部に前記バールの前記掛止部が収まるように前記当接部に切欠部が設けられており、前記連結軸と前記連結溝とが磁着し得るように、前記連結軸と前記連結溝との何れか一方または双方が磁力を帯びていることを特徴とする、エクストラクタ。
【請求項２】
バールハンドルと、該バールハンドルの先端部に設けられたリーマを掛止するための掛止部と、これ等の間に位置する連結軸とから成るバールと、ベースハンドルと、該ベースハンドルの先端部に設けられて歯に当接させるための当接部と、これ等の間に位置して前記バールの前記連結軸を嵌めるための連結溝とから成るベースと、から構成され、前記掛止部を前記連結溝に嵌めて前記バールと前記ベースとを連結一体化して前記バールハンドルと前記ベースハンドルとが開いた状態にした時に、前記ベースの前記当接部に前記バールの前記掛止部が収まるように前記当接部に切欠部が設けられていることを特徴とする、エクストラクタ。
【請求項３】
前記ベースの前記当接部が環状を呈しており、前記切欠部が環状の前記当接部の内側の孔部であり、該孔部は前記バールの前記掛止部の先に前記リーマを通し得るスペースを有している、請求項１または請求項２に記載のエクストラクタ。
【請求項４】
更に、前記バールハンドルの前記掛止部の先端部にはこの部位を二股にするための掛止溝が形成されていると共に、歯内にねじ込むためのネジ部と指先で摘むためのハンドル部と、前記バールハンドルの前記掛止溝に掛止するための掛止部と、から成るリーマを備えている、請求項１または請求項２に記載のエクストラクタ。
【考案の詳細な説明】
【技術分野】
【０００１】  本考案は、抜歯を安全に安定的にかつ容易に行うことが出来て、患者の負担が軽くなるようなリーマ用のエクストラクタおよびリーマ付きのエクストラクタに関する。
【背景技術】
【０００２】  従来の歯科治療に於いて抜歯を行う場合には、歯と歯槽骨との間で歯根の周りにある歯根膜の部位に梃子（ヘーベル）を挿入して歯を脱臼させてから、歯科用の鉗子（ペンチ）で歯を挟んで抜き取るのが一般的である。【０００３】  なお上述の鉗子の実例は特開２００２−２９１７５３号に、また梃子の実例は特開２００９−１１９０９５号に詳述されている。
【先行技術文献】
【特許文献】
【０００４】
【特許文献１】特開２００２−２９１７５３号（図１）
【特許文献２】特開２００９−１１９０９５号（図１５）
【特許文献３】実願２０１０−００１２７０号（後述）
【考案の概要】
【考案が解決しようとする課題】
【０００５】  しかしながら梃子で歯をこじる際に誤って歯を押し込むようなことが起ると、これが原因で神経を痛めたり血管を破損して出血が多くなったり、歯槽骨を陥没させてしまうような場合があり問題となっている。そこでこのような問題が生じにくいようにして抜歯がもっと安全にかつ容易に行えるようにならないだろうかと言うのが本考案の課題である。
【課題を解決するための手段】
【０００６】  上記課題の解決に先立ち、歯根は捻る力に弱く、捻ると比較的容易に歯槽骨から浮かせることが出来るため、これを引き抜くようにすれば簡単に抜歯を行うことが可能であると言う知見を得た。従って歯を歯槽骨から浮かせるに当って梃子を用いることなく、隣合う歯に影響されたり影響を与えたりすることもなく、歯を捻ることが出来て、その後の歯の引き抜きも容易であるようにしたいものである。【０００７】  そこで当考案者は先に実願２０１０−００１２７０号の「抜歯用具」を提案した。このものは歯内にねじ込むためのネジ部と指先で摘むためのハンドル部とから成り、前記ハンドル部に滑り止め部を備えている抜歯用具（リーマ）である。ハンドル部を以てネジ部を歯の中心部の穴にねじ込むと、ネジ部は歯にしっかりと食い込むので、ハンドル部を指で摘むなり鉗子の顎部で挟むなりして引き抜く。この際に歯根が捻られて歯槽骨から浮いて来るために、抜歯は比較的容易でありかつ安全である。また抜歯を行う歯にのみ歯槽骨から浮かせる際の力が加わるので、隣合う歯に影響されたり影響を与えたりすることが少ない。なおハンドル部に滑り止め部があることによって指で摘んだり鉗子で挟んで引く力をネジ部すなわち歯に効果的に及ぼすことが出来る。なお滑り止め部がハンドル部に形成された孔部または掛止部であるものとして、この孔部や掛止部に鉗子や鈎具の先をしっかりと掛けることが出来る。この場合の鉗子や鈎具は、すでにネジ部によって歯根を捻り浮かせてある歯に引っ掛けて引き抜く点で、従来の梃子の使い方とは大きく異なるものであると言える。【０００８】  このように実願２０１０−００１２７０号の「抜歯用具」を使用するのであるが、ハンドル部を指で摘んで引き抜くのではなく、鉗子や鈎具を用いて引き抜くのであれば、専用の道具があるとなお良いであろう。リーマによって浮かせてある歯を専用の道具によってより安定的に引き抜けるようにしたいものである。【０００９】  そこで本考案は、バールハンドルと、該バールハンドルの先端部に設けられたリーマを掛止するための掛止部と、これ等の間に位置する連結軸とから成るバールと、ベースハンドルと、該ベースハンドルの先端部に設けられて歯に当接させるための当接部と、これ等の間に位置して前記バールの前記連結軸を嵌めるための連結溝とから成るベースと、から構成され、前記掛止部を前記連結溝に嵌めて前記バールと前記ベースとを連結一体化して前記バールハンドルと前記ベースハンドルとが開いた状態にした時に、前記ベースの前記当接部に前記バールの前記掛止部が収まるように前記当接部に切欠部が設けられており、前記連結軸と前記連結溝とが磁着し得るように、前記連結軸と前記連結溝との何れか一方または双方が磁力を帯びている、リーマ用のエクストラクタを提供する。また本考案は、バールハンドルと、該バールハンドルの先端部に設けられたリーマを掛止するための掛止部と、これ等の間に位置する連結軸とから成るバールと、ベースハンドルと、該ベースハンドルの先端部に設けられて歯に当接させるための当接部と、これ等の間に位置して前記バールの前記連結軸を嵌めるための連結溝とから成るベースと、から構成され、前記掛止部を前記連結溝に嵌めて前���バールと前記ベースとを連結一体化して前記バールハンドルと前記ベースハンドルとが開いた状態にした時に、前記ベースの前記当接部に前記バールの前記掛止部が収まるように前記当接部に切欠部が設けられている、リーマ用のエクストラクタを提供する。なお前記掛止部の形状が異なる複数個のバールと、１個のベースとを組物にして成るエクストラクタを提供することも可能である。【００１０】  本考案のリーマ用のエクストラクタには２つの使用法がある。その一は、バールだけを単独で用いて掛止部でリーマのハンドル部に形成された孔部や掛止部を掛止して引き抜くように用いる方法である。この際に梃子のように使用することも出来るが、従来の梃子とは異なりすでに浮かせてある歯に対して用いるものであるために、隣り合う歯への影響は殆どない。その二は、バールとベースとを連結一体化させて用いる方法である。すなわち例えばベースの当接部を、浮かせてある歯の両側の歯に渡すようにして宛がい、掛止部でリーマのハンドル部に形成された孔部や掛止部を掛止させつつ連結軸を連結溝に嵌めるようにしてバールとベースとを連結一体化させ、バールハンドルとベースハンドルとを恰も鉗子のように握り、ベースで状態を安定させつつバールでリーマを引き抜くように用いる方法である。或いは掛止部を連結溝に嵌めてバールとベースとを連結一体化させてバールハンドルとベースハンドルとが開いた状態にし、更にバールハンドルとベースハンドルとを開いてバールの掛止部をベースの当接部の切欠部より下方に出すことが可能な構成のものでは下方に出して、掛止部にリーマを掛止させてからバールハンドルとベースハンドルとを閉じるようにして使用する方法である。これ等の場合もすでに浮かせてある歯に対して用いるために隣り合う歯への影響は殆どない。そして掛止部を連結溝に嵌めてバールとベースとを連結一体化させる際に、前記連結軸と前記連結溝との何れか一方または双方が磁力を帯びているように構成することで、前記連結軸と前記連結溝とが磁着して、不本意に外れたりすることをより少なくすることが出来る。この構成は、連結軸や連結溝に磁石を用いることで、或いは連結軸や連結溝そのものを磁化することで実現可能である。また連結軸と連結溝とは、双方共に磁力を帯びており互いに磁着するように構成することも、一方が磁力を帯びており他方がこれに磁着する素材例えば鉄材に成るように構成することも可能である。【００１１】  なお前記ベースの前記当接部が環状を呈しており、前記切欠部が環状の前記当接部の内側の孔部であり、該孔部は前記バールの前記掛止部の先に前記リーマを通し得るスペースを有するものとする設計が可能である（請求項３）。【００１２】  本考案のエクストラクタは、前記当接部に切欠部が設けられており、掛止部を連結溝に嵌めてバールとベースとを連結一体化させてバールハンドルとベースハンドルとが開いた状態にした時に、ベースの当接部の前記切欠部にバールの掛止部が収まるように構成されているが、前記スペースがない場合では上述の方法で切欠部にリーマを掛止させている。これに対して請求項３の考案では、バールの掛止部とベースの当接部とが面一の状態であるとしても、前記スペースを利用しここにリー���を通すようにして切欠部にリーマを掛止させることが出来る。すなわちこのスペースのサイズは、少なくともリーマのハンドル部を通し得るだけの大きさと言うことになる。この他、前記掛止部の先にリーマを通し得るスペースを作るには、ベースの当接部を環状とせずに、当接部の先端部等の一部を解放した構成とすれば良い。【００１３】  なおこのようなリーマ用のエクストラクタとこのリーマとを組物にして成るリーマ付きのエクストラクタを提供することが出来る（請求項４）。１種類のエクストラクタに対して、全体の大きさや形状が異なったりハンドル部の構成が異なる複数種類のリーマを組合わせるようにしても良い。
【考案の効果】
【００１４】  本考案によれば、実願２０１０−００１２７０号の「抜歯用具」を用いて浮かせた歯を引き抜くのに有効な、２つの使用法があるエクストラクタを提供することが出来た。この何れの使用法によっても隣り合う歯への影響が殆どなく、抜歯を安全に安定的にかつ容易に行うことが出来て、患者の負担が軽いと言う効果を奏する。なお掛止部を連結溝に嵌めてバールとベースとを連結一体化させる際に、前記連結軸と前記連結溝との何れか一方または双方が磁力を帯びているように構成することで、前記連結軸と前記連結溝とが磁着して、不本意に外れたりすることをより少なくすることが出来ると言う効果を奏する。
【図面の簡単な説明】
【００１５】
【図１】  実施例１の斜視図である。
【図２】  実施例１で用いるリーマ３の説明図である。
【図３】  実施例１のバール２のみを使用する場合の説明図である。
【図４】  実施例１の使用法の説明図である。
【図５】  実施例２の使用法の説明図である。
【図６】  （Ａ）は実施例３のリーマ６の説明図であり、（Ｂ）は実施例４のリーマ７の説明図である。
【考案を実施するための形態】
【実施例１】
【００１６】  図１〜図４によりこの実施例のエクストラクタを説明する。ベース１はベースハンドル１０とこの先端部に設けられて歯の咬合面に当接させるための当接部１２とこれ等の間に位置して後述のバール２の左右の連結軸２１，２１を回動自在に嵌めるための２つの連結溝１１，１１とから構成されている。また当接部１２には後述のバール２の掛止部２２が収まる環状の切欠部１３が設けられている。一方バール２はバールハンドル２０とこの先端部に設けられた掛止部２２とこれ等の間に位置してベース１の連結溝１１，１１に回動自在に嵌めるための左右の連結軸２１とから構成されている。なお掛止部２２の先端部にはこの部位を二股にするための掛止溝２３が形成されている。この掛止溝２３に後述するリーマ３のハンドル部３１が掛止される。【００１７】  このエクストラクタに適合するリーマ３を図２に示すが、このものは歯内にねじ込むためのネジ部３０とハンドル部３１とを回転中心軸としての軸部３２で接続して成るものであるが、この軸部３２とハンドル部３１とで側面視Ｔ字形状を呈するようになっている。このＴ字の脇の部位は掛止部３３であり、上述のバール２の掛止部２２にて掛止され得るようになっている。【００１８】  これ等の使用法であるが、リーマ３のハンドル部３１を親指と人差し指や中指とで挟んでネジ部３０を虫歯の根管に差し入れ、摘んだ指でハンドル部３１を図示のように右回転させるようにする。こうしてネジ部３０をしっかりと歯根に食い込ませるようにするのであるが、この際に虫歯に掛かる捩りによって虫歯が浮いて来ている。そこで上述した２つの使用法のその一に従い図３に示すようにバール２を単独で用いて、バールハンドル２０を握り掛止部２２の掛止溝２３をリーマ３のハンドル部３１に掛けてリーマ３を引き抜くようにする。なおこの際にこの実施例のバール２を梃子のように使用してリーマ３を引き抜くことも可能である。【００１９】  次に上述した２つの使用法のその二に従い図４に示すようにベース１にバール２を組み合わせて用いるべく、ベース１の連結溝１１にバール２の連結軸２１を嵌めるようにしてベース１とバール２とを連結一体化させ、ベース１の前記環状の切欠部１３（当接部１２の内側の孔部である）の、バール２の掛止部２２の先に出来たスペースの部分に、虫歯に食い込んだリーマ３を位置させて、ベース１の当接部１２を浮かせてある虫歯の両側の歯に渡すようにして宛がいつつ掛止部２２でリーマ３のハンドル部３１の掛止部３３を掛止させ、ベースハンドル１０とバールハンドル２０とを恰も鉗子のように握って、ベース１で状態を安定させつつバール２でリーマを引き抜くようにする。
【実施例２】
【００２０】  図５はこの実施例のエクストラクタであり、ベース４はベースハンドル４０とこの先端部に設けられて歯の咬合面に当接させるための当接部４２とこれ等の間に位置して後述のバール５の左右の連結軸５１，５１を回動自在に嵌めるための２つの連結溝４１，４１とから構成されている。また当接部４２には後述のバール５の掛止部５２が収まる大きさの環状の切欠部４３が設けられている。一方バール５はバールハンドル５０とこの先端部に設けられた掛止部５２とこれ等の間に位置してベース４の連結溝４１，４１に回動自在に嵌めるための左右の連結軸５１とから構成されている。なお掛止部５２の先端部にはこの部位を二股にするための掛止溝５３が形成されている。この掛止溝５３に上述のリーマ３のハンドル部３１が掛止される。【００２１】  ところでベース４の連結溝４１，４１は磁化されており、バール５の連結軸５１，５１を磁着して、連結軸５１，５１を連結溝４１，４１に回動自在に嵌めるも、磁力によって不本意にはバール５が脱落しにくいものとしている。片手で取り扱うことの多いエクストラクタであるから、この磁力を利用する構成は極めて便利なものである。なおこの磁力の強さはベース４とバール５とを意識的に離すのを難なく行える程度とすれば良い。
【実施例３】
【００２２】  上述の実施例１、２のエクストラクタに適合するリーマの他例を、リーマ６として図６（Ａ）に示す。リーマ６は歯内にねじ込むためのネジ部６０とハンドル部６１とを回転中心軸としての軸部６３で接続して成り、このハンドル部６１に滑り止め突起６２を周りに数条設けたものであるが、このハンドル部６１の軸部６３の側は掛止部６４であり、この部分が上述したバール２の掛止部２２や、バール５の掛止部５２にて掛止され得るようになっている。【００２３】  このリーマ６は、右回転によって歯根に食い込むようにネジ部６０が形成されている。このネジ部６０は切削用ではなくねじ込み用である。他の実施例同様、このネジ部６０の素材の選択は任意であるが、ここではニッケル−チタン合金を用いている。このリーマ６を実施例１や実施例２のエクストラクタで用いるのである。ネジ部６０を虫歯の根管にねじ込むに際して、ハンドル部６１に滑り止め突起６２が設けられているため、唾液などによって指が滑るようなことが少ない。
【実施例４】
【００２４】  次に、上述の実施例１、２のエクストラクタに適合するリーマの他例を、リーマ７として図６（Ｂ）に示す。このリーマ７は歯内にねじ込むためのネジ部７０とハンドル部７１とから成り、このハンドル部７１は傘の持ち手のごとき形状を呈して掛止部７２を備えると共に、他の実施例に於ける軸部に当る部位に掛止孔７３が開孔されているものである。【００２５】  このリーマ７は、右回転によって歯根に食い込むようにネジ部７０が形成されている。ネジ部７０は切削用ではなくねじ込み用である。このリーマ７を虫歯の根管にねじ込むに当たっては、ハンドル部７１の形状や掛止部７２や掛止孔７３が滑り止めとしての役割を担い、また虫歯を引き抜くに当たっては、掛止部７２や掛止孔７３に実施例１や実施例２のエクストラクタを引っ掛けて用いることが出来る。
【産業上の利用可能性】
【００２６】  本考案のリーマ用のエクストラクタは、これを獣医師が用いるものとして構成し提供することが可能である。
【符号の説明】
【００２７】１    ベース                          １０  ベースハンドル
１１  連結溝                          １２  当接部
１３  切欠部                          ２    バール
２０  バールハンドル                  ２１  連結軸
２２  掛止部                          ２３  掛止溝
３    リーマ                          ３０  ネジ部
３１  ハンドル部                      ３２  軸部
３３  掛止部                          ４    ベース
４０  ベースハンドル                  ４１  連結溝
４２  当接部                          ４３  切欠部
５    バール                          ５０  バールハンドル
５１  連結軸                          ５２  掛止部
５３  掛止溝                          ６    リーマ
６０  ネジ部                          ６１  ハンドル部
６２  滑り止め突起                    ６３  軸部
６４  掛止部                          ７    リーマ
７０  ネジ部                          ７１  ハンドル部
７２  掛止部                          ７３  掛止孔
【図１】
0003202679.tif 000003
【図２】
0003202679.tif 000004
【図３】
0003202679.tif 000005
【図４】
0003202679.tif 000006
【図５】
0003202679.tif 000007
【図６】
0003202679.tif 000008